【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
コンジットが通される壁開口にシールを施すためのコンジットダクト（１１〜９１）であって、  それぞれ一体である少なくとも２つの部品（１２ａ、ｂ〜８２ａ、ｂ、ｃ；９２ｂ〜ｊ）で造られた、前記コンジットに密封接触するためのエラストマ本体（１２〜９２）が含まれており、 前記エラストマ本体部品（１２ａ、ｂ〜８２ａ、ｂ、ｃ；９２ｂ〜ｊ）が、組み立てられた状態において一連の多数の層を形成するのに適しており、 それらの層がそれぞれ前記コンジットを囲むことと、複数の前記層が同じ単一のエラストマ本体部品（１２ａ、ｂ〜８２ａ、ｂ、ｃ；９２ｂ〜ｊ）に属しており、前記コンジットの中心軸までの異なる距離に対して隣接する層が、異なるエラストマ本体部品（１２ａ、ｂ〜８２ａ、ｂ、ｃ；９２ｂ〜ｊ）に属することと、  複数の前記層がそれぞれ属する少なくとも２つのエラストマ本体部品（１２ａ、ｂ〜８２ａ、ｂ、ｃ；９２ｂ〜ｊ）が、前記コンジットまでの距離を決める方向に対して設けられていることと、  前記エラストマ本体（１２〜９２）に張力をかけ、それによって前記エラストマ本体（（１２〜９２）を前記コンジットに押し付けて密封するための張力装置（１３〜９３、１４〜９４）を特徴とする、  コンジットダクト。
【請求項２】
前記一連の層の全てが、それぞれ複数で同じ単一のそれぞれのエラストマ本体部品（１２ａ、ｂ〜８２ａ、ｂ；８２ａ、ｂ、ｃ；９２ｂ〜ｊ）に属していることを特徴とする、請求項１に記載のコンジットダクト（１１〜６１、８１、９１）。
【請求項３】
前記コンジットまでの距離を決める前記方向に対して、通されるコンジット毎に２つ〜３つのエラストマ本体部品（１２ａ、ｂ〜６２ａ、ｂ；８２ａ、ｂ、ｃ；９２ｂ〜ｊ）が含まれることを特徴とする、請求項２に記載のコンジットダクト（１１〜６１、８１、９１）。
【請求項４】
エラストマ本体部品（８２ｃ）に、機能的添加物、すなわち、伝導性によるＥＭＩ遮蔽のための、Ｘ線吸収のための、または、防火特性を向上させるための分散固体粒子が含まれることを特徴とする、請求項１〜３の１つに記載のコンジットダクト（８１）。
【請求項５】
少なくとも２つのエラストマ本体部品（１２ａ、ｂ、８２ａ、ｂ、ｃ、９２ｂ〜ｊ）の層が、前記コンジットの中心軸に対して回転対称をなしており、最大で１つの例外を除くと、前記中心軸に対して垂直な壁によって端部が互いに結合された中空体であることを特徴とする、請求項１〜４の１つに記載のコンジットダクト（１１〜９１）。
【請求項６】
前記層の内側面及び外側面が少なくとも部分的に円錐形であることと、前記円錐角の１／２が最大で１０°であることを特徴とする、請求項５に記載のコンジットダクト（６１）。
【請求項７】
隣接するエラストマ本体部品（１２ａ、ｂ、８２ａ、ｂ、ｃ、９２ｂ〜ｊ）間の前記コンジットの中心軸に対して垂直な界面が、コンジット方向におけるエラストマ本体全長の外側１０％内において、前記一連の層の内側の周辺に配置されており、前記コンジット方向におけるエラストマ本体（１２〜９２）の前記全長の２０％〜８０％の間において、前記一連の層に対して外側に配置されていることを特徴とする、請求項１〜６の１つに記載のコンジットダクト。
【請求項８】
前記エラストマ本体（４１〜６１）に、前記エラストマ本体（４１〜６１）の全長の２０％〜８０％の間に配置された、前記コンジット方向に対して垂直な前記断面の厚くなった部分が含まれることを特徴とする、請求項１〜７の１つに記載のコンジットダクト。
【請求項９】
前記エラストマ本体部品（１２ａ、ｂ、８２ａ、ｂ、ｃ、９２ｂ〜ｊ）が、射出成形部品、プレス成形部品、または、トランスファプレス成形部品であることを特徴とする、請求項１〜８の１つに記載のコンジットダクト。
【請求項１０】
エラストマ本体部品（１２ａ、ｂ〜８２ａ、ｂ、ｃ；９２ｂ〜ｊ）の層間の隙間が、前記エラストマ本体部品（１２ａ、ｂ〜８２ａ、ｂ、ｃ；９２ｂ〜ｊ）の前記層と向かい合った前記エラストマ本体部品（１２ａ、ｂ〜８２ａ、ｂ、ｃ；９２ｂ〜ｊ）の面における切欠きによって画されていることを特徴とする、請求項１〜９の１つに記載のコンジットダクト。
【請求項１１】
互いに異なるが、それぞれ、セットをなす他のコンジットダクト（９１）のエラストマ本体と同じエラストマ本体を含んでいる、請求項１〜１０の１つに記載の複数のコンジットダクト（９１）を備えるコンジットダクトセット。
【請求項１２】
モジュールとして複数のコンジットダクト（９１）を収容する壁の単一開口にシールを施すための請求項１〜１０の１つに記載の複数のコンジットダクト（９１）を備えるコンジットダクトシステムであって、  前記複数のコンジットダクトに、それぞれ、  密封のためにそれらを一緒に挿入することが可能な前記壁開口の断面に関して前記コンジット方向に垂直なそうした断面と、  前記コンジット方向において働き、従って、前記コンジット方向に対して垂直に前記エラストマ本体を拡げることが可能な、それぞれ個別に張力をかける自己テンション装置（９３、９４）と、  前記テンション装置（９３、９４）に張力がかかる際、前記コンジットダクト（９１）の外周において、前記コンジット方向に対して垂直な方向に対して外側に配置されている、各それぞれのエラストマ本体部品のそれぞれの密封面（９６）が含まれている、  コンジットダクトシステム。
【請求項１３】
前記一連のエラストマ本体部品（１２ａ、ｂ〜８２ａ、ｂ、ｃ；９２ｂ〜ｊ）の少なくとも１つの層を除去することによって、前記エラストマ本体（１２〜９２）を寸法的に適応させるための、請求項１〜１０の１つに記載のコンジットダクト（１１〜９１）、または請求項１１に記載のコンジットダクトセットまたは請求項１２に記載のコンジットダクトシステムの利用。
【請求項１４】
前記少なくとも１つの層によって、前記同じエラストマ本体部品（１２ａ、ｂ〜８２ａ、ｂ、ｃ；９２ｂ〜ｊ）のもう１つの層に対する結合ウェブをくるむが、それについて、前記層は前記エラストマ本体部品１２ａ、ｂ〜８２ａ、ｂ、ｃ；９２ｂ〜ｊ）に結合したままであることを特徴とする、請求項１３に記載の利用。
【請求項１５】
建物の壁、船舶の壁、または、ハウジングの壁内に、電流用、ガス用、水用、熱用、遠距離通信用、信号用、またはデータ用コンジットを密封するための請求項１３または１４とも組み合わせられる、請求項１〜１０の１つに記載のコンジットダクト（１１〜９１）、または、請求項１１に記載のコンジットダクトセット、または請求項１２に記載のコンジットダクトシステムの利用。
【請求項１６】
コンジットが通される壁開口にシールを施すのに適したコンジットダクト（１１〜９１）を製造するための方法であって、  それぞれ、一体化され、それぞれ、前記コンジットに密封接触するのに適した複数の層を備える少なくとも２つのエラストマ本体部品（１２ａ、ｂ〜８２ａ、ｂ、ｃ；９２ｂ〜ｊ）を製造し、前記層間に、少なくともそれぞれの他のエラストマ本体部品（１２ａ、ｂ〜８２ａ、ｂ、ｃ；９２ｂ〜ｊ）の割り当てられた層の厚さに相当する隙間が形成されるようにするステップと、  前記エラストマ本体部品（１２ａ、ｂ〜８２ａ、ｂ、ｃ；９２ｂ〜ｊ）を組み立てて、エラストマ本体（１２〜９２）にするステップが含まれており、前記隙間に層が挿入されて、一連の多数の層が形成されることと、前記コンジットの中心軸までの異なる距離に対して隣接する層が、異なるエラストマ本体部品（１２ａ、ｂ〜８２ａ、ｂ、ｃ；９２ｂ〜ｊ）に属することと、さらに、  前記エラストマ本体部品（１２ａ、ｂ〜８２ａ、ｂ、ｃ；９２ｂ〜ｊ）から組み立てられた前記エラストマ本体（１２〜９２）に張力をかけ、それによって前記エラストマ本体（１２〜９２）を前記コンジットに押し付けて密封するための張力装置（１３〜９３、１４〜９４）を追加するステップが含まれることを特徴とする、  方法。
【請求項１７】
前記層及び前記隙間がエラストマ材料が充填される型を用いて製造されることを特徴とする、請求項１６に記載の方法。